(57)【特許請求の範囲】
【請求項１】
遊技盤６の裏側に設置される裏セット板１０の背面側に形成された平坦状のボックス装着部１６に、１つの基板ボックス３０内に制御内容の異なる複数の各種制御基板１５０，１６０，１７０，１８０，１９０，２００及び中継基板１５５，２２０を収納配置した制御ボックス装置２９が横開き形態で開閉可能に装備された遊技機において、
前記制御ボックス装置２９の基板ボックス３０は、
前記裏セット板１０のボックス装着部１６の背面広さに見合った大きさの方形状に成形されて各種制御基板用の２つの配設領域５０，５５を区画形成し、前記ボックス装着部１６に対して一側部に配置されたボックスヒンジ機構１７により開閉可能に組付け支持され、かつ他側部に配置された拘束手段により拘束されるベース体３１と、
前記ベース体３１の各配設領域５０，５５毎の開口面域に合わせて嵌め込まれて、該配設領域５０，５５毎に区分して平面状に配置される前記各種制御基板１５０，１６０，１７０，１８０，１９０，２００及び中継基板１５５，２２０を覆った状態で組み付けられて第１の封印手段１３０、第２の封印手段１４０で個々に封印結合される第１の蓋体６０及び第２の蓋体１００と、を備えて構成されており、
前記ベース体３１では、前記各配設領域５０，５５毎の床板部５１，５６に、前記各種制御基板１５０，１６０，１７０，１８０，１９０，２００及び中継基板１５５，２２０を平面状に載置してビス止めするための複数個の同一高さのボス５２，５７が同一高さで配置されるとともに、前記各配設領域５０，５５毎の側縁部に位置決め用の装着孔５８，５９が形成される一方、前記ボックスヒンジ機構１７の反対側の外側縁に、前記第１の封印手段１３０の一部を構成する切断可能な複数個の封印ボス１３２と、前記第２の封印手段１４０の一部を構成する切断可能な複数個の封印ボス１４２と、が夫々配置されており、
前記第１の蓋体６０では、前記配設領域５０に配置される前記制御基板１５０及び中継基板１５５を覆う大きさの方形状箱蓋形に形成されて、その一方の側壁部７５の外側に前記ベース体３１の装着孔５８に位置決め係合される閉止片６７が形成される一方、他方の側壁部７８の外側に前記第１の封印手段１３０の一部を構成して封印ボス１３２と整合状態でねじ止め結合される切断可能な複数個の封印締付部１３４が形成され、
前記第２の蓋体１００では、前記配設領域５５に配置される前記制御基板１６０，１７０，１８０，１９０，２００及び中継基板２２０を覆う大きさの方形状箱蓋形に形成されて、その一方の側壁部１１５の外側に前記ベース体３１の装着孔５９に位置決め係合される閉止片１０７が形成される一方、他方の側壁部１１８の外側に前記第２の封印手段１４０の一部を構成して封印ボス１４２と整合状態でねじ止め結合される切断可能な複数個の封印締付部１４４が形成され、
前記裏セット板１０の平坦状のボックス装着部１６の一側縁の上下部位に、前記拘束手段の一部を構成する拘束用突部２０，２５が配置され、
前記ベース体３１の一側縁の上下部位に、前記拘束手段の一部を構成して前記拘束用突部２０，２５と嵌合し得る被拘束用孔４９，４９が形成され、
前記第１の蓋体６０の前記第１の封印手段１３０の封印締付部１３４が配置された側に、前記裏セット板１０の前記拘束手段の拘束用突部２０と嵌合し得る被拘束用凹部８１が配置され、
前記第２の蓋体１００の前記第１の封印手段１４０の封印締付部１４４が配置された側に、前記裏セット板１０の前記拘束手段の拘束用突部２５と嵌合し得る拘束用凹部１２１が配置されたことを特徴とする遊技機。
【発明の詳細な説明】
【０００１】
【発明の属する技術分野】
この発明は、パチンコ機、スロットマシン等の遊技機のボックス装着部に制御ボックス装置が装着された遊技機に関する。
【０００２】
【従来の技術】
遊技機の制御ボックス装置は、モータ、ソレノイド、図柄表示装置、ランプ等を制御するための制御基板と、その制御基板が収納される基板ボックスとを備えて構成される。
また、基板ボックスは、ベース体と、そのベース体に開閉可能に装着される蓋体とを備えている。そして、遊技機のボックス装着部に対し制御ボックス装置が、その基板ボックスのベース体において複数の取付ねじによって取り付けられるようになっているのが一般的であった。
また、制御ボックス装置において、ベース体に対し蓋体は、所要数の締め付けねじによって締め付けられて閉じ状態に保持される。また、締め付けねじとしては、例えば、封印手段おける封印ねじが兼用される場合もある。
【０００３】
【発明が解決しようとする課題】
ところで、前記従来の制御ボックス装置において、遊技機のボックス装着部に装着された基板ボックスのベース体に対し、所要数の締め付けねじが取り外されると蓋体が開放される構造のため、蓋体が不測に開放されて制御基板に対する不正行為が行われる問題点があった。
【０００４】
この発明の目的は、前記従来の問題点に鑑み、遊技機のボックス装着部に対し、基板ボックスのベース体を間に挟んで蓋体を移動不能に閉じ位置に拘束することができ、蓋体が不測に開かれる不具合を防止することができる遊技機を提供することである。
【０００５】
【課題を解決するための手段】
前記目的を達成するために、第１の発明に係る遊技機は、請求項１に記載のとおりの構成を要旨とする。
したがって、ボックス装着部にベース体を装着したときには、同ボックス装着部の拘束手段によって蓋体が移動不能に閉じ位置に拘束されるため、蓋体の不測の開放が防止される。
【０００６】
また、ボックス装着部に設けられた拘束手段としての拘束用突部又は拘束用凹部に対し、被固定部（孔、凹部、突部等）を差し込むというきわめて簡単な操作によって、ボックス装着部に対しベース体を間に挟んで蓋体を移動不能に閉じ位置に拘束することができる。
【０００７】
また、複数の制御基板を同一の基板ボックスに収納することによって、複数の制御基板に対応する専用の基板ボックスをそれぞれ個別に制作する必要がなく製作コストの削減を図ることができる。さらに、専用の基板ボックスに制御基板を内設してそれぞれ個別に制御ボックス装置を構成し、これら複数の制御ボックス装置をボックス装着部に個別に取り付ける手間を削減することができる。
【０００９】
また、ベース体と蓋体との間の封印手段によってベース体に対し蓋体を閉じ状態で封印することができる。
【００１２】
また、遊技盤裏面の裏セット板のボックス装着部に対し、その一側寄りのボックスヒンジ機構を支点としてベース体を閉じることによって、前記裏セット板の拘束用突部にベース体と蓋体とを共に差し込んで移動不能に閉じ位置に拘束することができる。
【００１３】
また、裏セット板の裏面のほぼ全域にわたる大きさに形成された基板ボックスにおいて、そのベース体の複数の基板配設領域には各種の制御基板をそれぞれ収納することが可能となる。しかも、ベース体の複数の基板配設領域に対し、それぞれ別個の蓋体を装着することによって蓋体が過大に大型化する不具合を解消することができる。
【００１４】
【発明の実施の形態】
この発明の実施の形態を図面にしたがって説明する。
遊技機としてのパチンコ機を背面側から表した図９と、図９のＸーＸ線に基づく断面で表した図１０において、遊技機としてのパチンコ機１の外枠２は方形枠状に形成され、その前側には前枠３が前枠ヒンジ機構（図示しない）によって開閉可能に装着されている。
前枠３の開口窓部には、ガラス扉４が開閉可能に装着され、同前枠３の裏面には、その開口窓の周縁部に沿って基枠５が装着されている。
基枠５の枠内には遊技盤６が着脱可能に嵌込まれ、同基枠５にはその片側の枠部に設けられた裏セットヒンジ機構１１によって裏セット板１０が開閉可能に装着されている。さらに、基枠５の所定位置には同基枠５に対し裏セット板１０を閉じ状態に保持するための所要数の留め具１２が裏セット板１０に対し係脱可能に設けられている。
【００１５】
裏セット板１０は、合成樹脂の射出成形によって所望とする形状に形成されている。そして、裏セット板１０の裏面側には、その上部から下部に向けて球タンク１３、タンクレール１４、球払出装置（図示しない）等が装着されている。また、裏セット板１０の裏面には、球タンク１３及びタンクレール１４が配設されている部分を除くほぼ全域にわたってボックス装着部１６が設けられている。
また、この実施の形態において、図１〜図３に示すように、裏セット板１０裏面のボックス装着部１６には、ボックスヒンジ機構１７によって制御ボックス装置２９が開閉可能に装着されている。ボックスヒンジ機構１７を構成するヒンジ板１８とヒンジ軸１９のうち、ヒンジ板１８がボックス装着部１６の一側寄りの上下部２箇所に設けられている。
また、ボックス装着部１６の他側寄りには、後述するベース体３１と第１の蓋体６０に対する共通の拘束手段としての上下一対の拘束用突部２０と、後述するベース体３１と第２の蓋体１００に対する拘束手段としての上下一対の拘束用突部２５とがそれぞれ一体状に突設されている。これら各一対の拘束用突部２０、２５は、その根本部側軸部が大径で先端側の差込軸部２１、２６が小径の段差軸状にそれぞれ形成されている。
【００１６】
図８に示すように、制御ボックス装置２９は、各種のモータ、ソレノイド、ランプ、スピーカ、図柄表示装置等を制御するためのもので、主制御基板１５０、電源基板１６０、賞球制御基板１７０、発射制御基板１８０、音声制御基板１９０、ランプ制御基板２００、等の各種の制御基板、及び中継基板１５５、２２０を収納する基板ボックス３０を備えている。
図１〜図３に示すように、基板ボックス３０は、ベース体３１と第１、第２の蓋体６０、１００とをそれぞれ備え、これらベース体３１及び第１、第２の両蓋体６０、１００は、合成樹脂の射出成形によってそれぞれ形成されている。
【００１７】
また、ベース体３１は、裏セット板１０の裏面のほぼ全域（球タンク１３及びタンクレール１４が配設されている部分は除く）にわたる大きさに形成されている。
図１に示すように、ベース体３１の裏面の上下部には、第１基板配設領域５０と第２基板配設領域５５とがそれぞれ区画形成されている。また、ベース体３１の裏面には第１基板配設領域５０と第２基板配設領域５５とをそれぞれ取り囲むようにして上外壁部３２、中間仕切壁３５、下外壁部４０、一側の側壁部４５及び他側の側壁部４７がそれぞれ突設されている。
また、ベース体３１の一側の側壁部４５の上下部２箇所には、ボックス装着部１６のヒンジ板１８のヒンジ孔にそれぞれ回動並びに挿脱可能に差し込まれるヒンジ軸１９が設けられている。そして、ヒンジ板１８とヒンジ軸１９とを有するボックスヒンジ機構１７によって、ボックス装着部１６に対し基板ボックス３０が、そのベース体３１において開閉可能に装着されている。
【００１８】
また、図２〜図４に示すように、ベース体３１の他側の側壁部４７には、ボックス装着部１６の他側寄りに突設された拘束手段としての上下各一対の拘束用突部２０、２５に対応する位置において張出部４８が所定長さだけ張り出されている。そして、ベース体３１の張出部４８には、ボックス装着部１６の上下各一対の拘束用突部２０、２５の差込軸部２１、２６が差し込まれて位置決めされ、かつベース体３１を移動不能に閉じ位置に拘束する被拘束部としての被拘束用孔４９がそれぞれ形成されている。
また、ベース体３１の中間仕切壁３５と他側の側壁部４７との交差部近傍には延出部４６が設けられている。そして、ベース体３１の延出部４６と、その延出部４６に対向するボックス装着部１６の一部分との間には、ベース体３１を閉じ状態に施錠するための施錠装置９０が配設されている。
【００１９】
図１と図７に示すように、施錠装置９０は、ベース体３１の延出部４６の内部に固定されたシリンダ錠９１を主体として構成され、そのシリンダ錠９１の鍵穴はベース体３１の延出部４６の板面に露出している。
シリンダ錠９１の錠軸９３の前端部には錠板９４が固定され、この錠板９４に係脱可能に係合する係止孔９６を有する金属板等の耐磨耗性及び剛性を有する係止板９５が裏セット板１０のボックス装着部１６の所定位置に固定されている。なお、この実施の形態において、パチンコ機の前枠３及びガラス扉４を施錠・解錠するためのシリンダ錠に対応する鍵を共用して使用できるように、前記シリンダ錠９１の施錠・解錠の設定がなされている。これによって鍵の保管・管理等が煩雑化する不具合が解消されている。
【００２０】
図２と図５に示すように、ベース体３１の第１基板配設領域５０の底部をなす底板部５１には、主制御基板１５０と、中継基板２２０とをそれぞれ取り付けるための所要数の基板取付用ボス５２がそれぞれ突設されている。そして、各基板取付用ボス５２に対し主制御基板１５０と中継基板２２０とがそれぞれ上下に隣接して載置されかつこれら主制御基板１５０と中継基板２２０とを通してビスがそれぞれねじ込まれることによって主制御基板１５０と中継基板２２０とが取り付けられるようになっている。
【００２１】
また、図３、図６及び図７に示すように、ベース体３１の第２基板配設領域５５の底部をなす底板部５６には、電源基板１６０と、その電源基板１６０を周囲を取り囲むようにして、賞球制御基板１７０、発射制御基板１８０、音声制御基板１９０、ランプ制御基板２００、及び中継基板２２０をそれぞれ取り付けるための所要数の基板取付用ボス５７がそれぞれ突設されている。
そして、第２基板配設領域５５のほぼ中央部において、各基板取付用ボス５７に対し電源基板１６０が載置され、その電源基板１６０を通してビスがねじ込まれることによって電源基板１６０が取り付けられるようになっている。
また、第２基板配設領域５５には、電源基板１６０の下方に隣接して、発射制御基板１８０が、右側に隣接して賞球制御基板１７０が、左側の上下部に隣接してランプ制御基板２００と音声制御基板１９０とが各基板取付用ボス５７とビスによってそれぞれ取り付けられている。さらに、ランプ制御基板２００、電源基板１６０及び賞球制御基板１７０の上方に跨って中継基板２２０が各基板取付用ボス５７とビスによって取り付けられるようになっている（図８参照）。
【００２２】
ベース体３１の第１基板配設領域５０と第２基板配設領域５５とをそれぞれ区画して囲む上外壁部３２、中間仕切壁３５、下外壁部４０及び一側の側壁部４５は、それぞれ前側（ボックス装着部１６側）が開口する断面ほぼコの字状に形成されている。
そして、図５に示すように、第１基板配設領域５０において、上外壁部３２と中間仕切壁３５との相対する内壁部の内側にはそれぞれ溝部を隔ててガイドレール３４、３７が形成されている。
また、図２に示すように、第１基板配設領域５０において、一側の側壁部４５の内壁部には、溝部を隔てて内側壁４６ａが形成されている。
さらに、第１基板配設領域５０を囲む上外壁部３２、中間仕切壁３５及び一側の側壁部４５には、後述する第１の蓋体６０を着脱可能に装着するための多数個の装着孔５８が、壁方向に所定の間隔ピッチをもって各壁部の突出端をなす端壁部から内壁にわたってそれぞれ切り欠き状に形成されている（図１参照）。
【００２３】
図５に示すように、第２基板配設領域５５において、中間仕切壁３５と下外壁部４０との相対する内壁部の内側にはそれぞれ溝部を隔ててガイドレール３９、４２が形成されている。
また、図３に示すように、第２基板配設領域５５において、一側の側壁部４５の内壁部には、溝部を隔てて内側壁４６ｂが形成されている。
さらに、第２基板配設領域５５を囲む中間仕切壁３５、下外壁部４０及び一側の側壁部４５には、後述する第２の蓋体１００を着脱可能に装着するための多数個の装着孔５９が、壁方向に所定の間隔ピッチをもってかつ各壁部の突出端をなす端壁部から内壁にわたってそれぞれ切り欠き状に形成されている。
【００２４】
ベース体３１の第１基板配設領域５０には、主制御基板１５０と中継基板１５５とを収納して保護するための第１の蓋体６０が着脱開閉可能に装着されている。また、ベース体３１の第２基板配設領域５５には、電源基板１６０、賞球制御基板１７０、発射制御基板１８０、音声制御基板１９０、ランプ制御基板２００、及び中継基板２２０を収納して保護するための第２の蓋体１００が着脱開閉可能に装着されている。
【００２５】
第１の蓋体６０は、主制御基板１５０の全体、並びに中継基板１５５の上半部を覆う制御基板用蓋板部６１と、中継基板１５５の下半部を覆う中継基板用蓋板部７０とを備え、かつ制御基板用蓋板部６１が高く中継基板用蓋板部７０が低い段差箱形状に形成されている。
さらに、図２と図５に示すように、制御基板用蓋板部６１の四周縁には、上壁部６４、仕切壁６９、一側の側壁部７５及び他側の側壁部７８がそれぞれベース体３１に向けてほぼ直角状に延出されている。そして、仕切壁６９のほぼ中間高さ位置から中継基板用蓋板部７０が延出されている。
中継基板用蓋板部７０の下縁部には、下壁部７１が形成され、左右両側部には、一側の側壁部７５及び他側の側壁部７８に連続する側壁部が形成されている。
【００２６】
また、制御基板用蓋板部６１の周囲には補強用環状凹凸部６２が形成され、内面には複数条の内側リブ６３が形成されている。さらに、制御基板用蓋板部６１には放熱用孔６８が適宜に形成されている（図１参照）。
また、図６に示すように、中継基板用蓋板部７０には、中継基板１５５上に配置された各種のコネクタを露出するためのコネクタ開口部８２が形成され、中継基板用蓋板部７０の内面には、そのコネクタ開口部８２の周囲を覆う囲い壁８３が突設されている。この囲い壁８３の先端は中継基板１５５の板面に接近または当接する位置まで延出されている。
【００２７】
図５に示すように、第１の蓋体６０の上壁部６４と下壁部７１には、ベース体３１の第１基板配設領域５０のガイドレール３４、３７が差し込まれる溝部をもってスライド部６６、７３がそれぞれ形成されている。
図６に示すように、第１の蓋体６０の両スライド部６６、７３の外側面には、第１基板配設領域５０の上下の各装着孔５８の後方からこれら装着孔５８に差し込まれる閉止片６７が突設されている。さらに、第１の蓋体６０の一側の側壁部７５には、ベース体３１の第１基板配設領域５０の一側の側壁部４５の内側壁４６ｂが所定量だけ相対的に移動可能に差し込まれる溝部をもって外壁部７６が形成されている。そして、この外壁部７６の外側面には、第１基板配設領域５０の一側の各装着孔５８の後方からこれら各装着孔５８に差し込まれる閉止片６７がそれぞれ突設されている。
【００２８】
また、図２に示すように、第１の蓋体６０の他側の側壁部７８には、ベース体３１の第１基板配設領域５０の他側の側壁部４７が所定量だけ相対的に移動可能に差し込まれる溝部をもって外壁部７９が形成されている。
また、他側の側壁部７８の外壁部７９の先端部には、ベース体３１の他側の側壁部４７の張出部４８に近接して張出部８０が形成されている。この張出部８０の上下２箇所には、図２と図４に示すように、裏セット板１０のボックス装着部１６の上部寄り部分で一対をなす拘束手段としての拘束用突部２０がその差込軸部２１においてそれぞれ差し込まれることで位置決され、第１の蓋体６０を移動不能に閉じ位置に拘束する被拘束部としての被拘束用凹部８１が形成されている。
【００２９】
また、第１の蓋体６０の他側の側壁部７８と、これに対向するベース体３１の他側の側壁部４７との間には第１の封印手段１３０が配設されている。
図４に示すように、第１の封印手段１３０は、複数の封印部１３１を有している。こられ封印部１３１は、封印ボス部１３２、封印締付部１３４及びこれら封印ボス部１３２と封印締付部１３４とを締め付ける封印ネジ（図示しない）とを備えている。さらに、封印ボス部１３２は、ベース体３１の他側の側壁部４７から切断可能に延出された切断用連結片の先端部に形成され、封印締付部１３４は、第１の蓋体６０の他側の側壁部７８から切断可能に延出された切断用連結片の先端部に形成されている。また、封印ネジ（図示しない）としては、締め付け方向へは回転して締め付けられ反対方向には回転不能に形成されたワンウエーねじや、所定値以上の締め付けトルクで頭部が切断される切断ねじ等が用いられる。
【００３０】
図３、図５及び図６に示すように、ベース体３１の第２基板配設領域５５に着脱開閉可能に装着される第２の蓋体１００は、電源基板１６０、賞球制御基板１７０、発射制御基板１８０、音声制御基板１９０、ランプ制御基板２００、及び中継基板２２０の下部を覆う制御基板用蓋板部１０１と、中継基板２２０の上半部を覆う中継基板用蓋板部１１０とを備え、かつ制御基板用蓋板部１０１が高く中継基板用蓋板部１１０が低い段差箱形状に形成されている。
さらに、図３と図５に示すように、制御基板用蓋板部１０１の四周縁には、仕切壁１０９、下壁部１１１、一側の側壁部１１５及び他側の側壁部１１８がそれぞれベース体３１に向けてほぼ直角状に延出されている。そして、図５に示すように、仕切壁１０９のほぼ中間高さ位置から中継基板用蓋板部１１０が延出されている。また、中継基板用蓋板部１１０の上縁部には上壁部１０４が形成されている。
【００３１】
図３と図５に示すように、第２の蓋体１００においても、第１の蓋体６０とほぼ同様にして制御基板用蓋板部１０１の周囲には補強用環状凹凸部１０２が形成され、内面には複数条の内側リブ１０３が形成されている。さらに、制御基板用蓋板部１０１には放熱用孔６８が適宜に形成されている。
また、図６に示すように、中継基板用蓋板部１１０には、中継基板２２０上に配置された各種のコネクタを露出するためのコネクタ開口部１２２が形成され、中継基板用蓋板部１１０の内面には、そのコネクタ開口部８２の周囲を覆う囲い壁１２３が突設されている。この囲い壁１２３の先端は中継基板２２０の板面に接近または当接する位置まで延出されている。
【００３２】
さらに、図５に示すように、第２の蓋体１００の上壁部１０４と下壁部１１１には、ベース体３１の第２基板配設領域５５のガイドレール３９、４２が差し込まれる溝部をもってスライド部１０６、１１３がそれぞれ形成されている。これらスライド部１０６、１１３の外側面には、第２基板配設領域５５の上下の各装着孔５９の後方からこれら装着孔５９にそれぞれ差し込まれる閉止片１０７が突設されている。
また、図３に示すように、第２の蓋体１００の一側の側壁部１１５には、ベース体３１の第２基板配設領域５５の一側の側壁部１１５の内側壁が所定量だけ相対的に移動可能に差し込まれる溝部をもって外壁部１１６が形成されている。そして、この外壁部１１６の外側面には、第２基板配設領域５５の一側の各装着孔５９の後方からこれら各装着孔５９にそれぞれ差し込まれる閉止片１０７が突設されている。
【００３３】
また、図３に示すように、第２の蓋体１００の他側の側壁部１１８には、ベース体３１の第２基板配設領域５５の他側の側壁部４７が所定量だけ相対的に移動可能に差し込まれる溝部をもって外壁部１１９が形成されている。
また、他側の側壁部１１８の外壁部１１９の先端部には、ベース体３１の他側の側壁部４７の張出部４８に近接して張出部１２０が形成されている。この張出部１２０の上下２箇所には、ボックス装着部１６の拘束用突部２５がその差込軸部２６においてそれぞれ差し込まれて位置決めされ、第２の蓋体１００を移動不能に閉じ位置に拘束する被拘束部としての被拘束用凹部１２１が形成されている。
また、第２の蓋体１００の他側の側壁部１１８と、これに対向するベース体３１の他側の側壁部４７との間には第２の封印手段１４０が配設されている。
図４に示すように、第２の封印手段１４０は、第１の封印手段１３０とほぼ同様に構成され、複数の封印部１４１を有している。こられ封印部１４１は、封印ボス部１４２、封印締付部１４４及びこれら封印ボス部１４２と封印締付部１４４とを締め付ける封印ネジ１４７とを備えている。
【００３４】
また、この実施の形態において、図３に示すように、第２基板配設領域５５のほぼ中央部に位置する底板部５６上には、撓み防止用ボス１４５が、第２の蓋体１００の制御基板用蓋板部１０１の内面に接近する位置まで突設されている。そして、第２の蓋体１００の制御基板用蓋板部１０１を通してビス１４６が撓み防止用ボス１４５にねじ込まれることによって、第２の蓋体１００が大型化した場合においても、制御基板用蓋板部１０１の撓みが防止され、制御基板用蓋板部１０１の撓みが原因となる不具合が解消されるようになっている。
【００３５】
この実施の形態に係る遊技機としてのパチンコ機１は上述したように構成される。したがって、基板ボックス３０のベース体３１に対し第１の蓋体６０と第２の蓋体１００とをそれぞれ組み付ける場合、裏セット板１０のボックス装着部１６に対しベース体３１が取り外された状態で行われたり、あるいは、ボックス装着部１６に対し、ベース体３１がヒンジ軸１９を支点として後方に開かれた状態で行われる。
【００３６】
まず、基板ボックス３０のベース体３１の第１基板配設領域５０に対し、第１の蓋体６０を装着する場合、第１基板配設領域５０の上下部及び一側部に配設された各装着孔５８に対し第１の蓋体６０の上下部と一側部に設けられた各閉止片６７を位置合わせしながら、第１基板配設領域５０の後方から第１の蓋体６０を嵌込む。
すると、第１基板配設領域５０の各装着孔５８に対し第１の蓋体６０の各閉止片６７がそれぞれ差し込まれる。この際、ベース体３１の第１基板配設領域５０のガイドレール３４、３７と、第１の蓋体６０のスライド部６６、７３とが相互の溝部においてそれぞれ互い違いに嵌込まれる。
【００３７】
ここで、第１の蓋体６０を一方向（図１に向かって右側）に所定量だけ、例えば、ベース体３１の他側の側壁部４７に対し第１の蓋体６０の他側の側壁部７８が当接する位置までスライドさせることによって、第１の蓋体６０の各閉止片６７が各装着孔５８の開口縁部に係合する。そして、前記各閉止片６７による係合力によってベース体３１の第１基板配設領域５０に対し第１の蓋体６０が浮き上がることなく閉止位置に係止される（図２、図５及び図６参照）。
また、第１の蓋体６０が前記閉止位置に配置されることによって、第１の蓋体６０の被拘束用凹部８１とベース体３１の被拘束用孔４９とが同一中心線上に位置合わせされる。
さらに、第１の蓋体６０に対する第１の封印手段１３０においても、その各封印部１３１の封印ボス部１３２と封印締付部１３４とが同一中心線上に位置合わせされる（図２及び図４参照）。
【００３８】
また、ベース体３１の第２基板配設領域５５に対し第２の蓋体１００を装着する場合、前記第１の蓋体６０を装着する場合とほぼ同様にして、第２基板配設領域５５の各装着孔５９に対し第２の蓋体１００の各閉止片１０７を位置合わせしながら、第２基板配設領域５５の後方から第２の蓋体１００を嵌込む。
その後、ベース体３１の他側の側壁部４７に対し第２の蓋体１００の他側の側壁部１１８が当接する位置まで、第２の蓋体１００を一方向にスライドさせることによって、第２の蓋体１００の各閉止片１０７が各装着孔の開口縁部に係合する（図３、図５及び図６参照）。
これによって、ベース体３１の第２基板配設領域５５に対し第２の蓋体１００が浮き上がることなく閉止位置に係止される。さらに、第２の蓋体１００の被拘束用凹部とベース体３１の係止孔とが同一中心線上に位置合わせされるとともに、第２の蓋体１００に対する第２の封印手段１４０においても、その各封印部１４１の封印ボス部１４２と封印締付部１４４とが同一中心線上に位置合わせされる（図３及び図４参照）。
【００３９】
前記したようにしてベース体３１に第１の蓋体６０と第２の蓋体１００とが組み付けられて基板ボックス３０が構成されるとともに、そのボックス内に各種の制御基板１５０、１６０、１７０、１８０、１９０、２００及び中継基板１５５、２２０が収納されて制御ボックス装置２９が構成される。
裏セット板１０のボックス装着部１６に対し、制御ボックス装置２９を、そのベース体３１において装着する場合、ボックス装着部１６の上下一対のヒンジ板１８の上方からベース体３１の上下一対のヒンジ軸１９がそれぞれ差し込まれて組み付けられる。
【００４０】
その後、裏セット板１０のボックス装着部１６に対し、制御ボックス装置２９が、そのベース体３１のヒンジ軸１９を支点として閉じられる。
すると、第１の蓋体６０の被拘束用凹部８１とベース体３１の被拘束用孔４９とがボックス装着部１６の拘束用突部２０にそれぞれ嵌込まれて位置決めされ、第１の蓋体６０が移動不能にかつ閉じ状態に拘束されるとともに、第２の蓋体１００の被拘束用凹部１２１とベース体３１の被拘束用孔４９とがボックス装着部１６の拘束用突部２５に嵌込まれて位置決めされ、第２の蓋体１００が移動不能にかつ閉じ状態に拘束される。
ここで、施錠装置９０のシリンダ錠９１の鍵穴に鍵（図示しない）を差し込み、その鍵操作によって錠軸９３を所定方向に例えば９０度回動する。すると、錠軸９３の錠板９４が施錠位置に配置され、ボックス装着部１６の係止板９５に係合する（図７参照）。これによって、ボックス装着部１６に対し制御ボックス装置２９がそのベース体３１において施錠される。
【００４１】
また、第１の封印手段１３０の複数の封印部１３１のうち、任意の封印部１３１の封印締付部１３４から封印ボス部１３２に対し封印ネジ（図示しない）がねじ込まれることによってベース体３１に対し第１の蓋体６０が封印される。
また、第２の封印手段１４０の複数の封印部１４１のうち、任意の封印部１４１の封印締付部１４４から封印ボス部１４２に対し封印ネジがねじ込まれることによってベース体３１に対し第２の蓋体１００が封印される。
【００４２】
また、制御ボックス装置２９の各種の制御基板１５０、１６０、１７０、１８０、１９０、２００の保守・点検を行う場合、前記とは逆の手順に操作することによって、裏セット板１０のボックス装着部１６に対し制御ボックス装置２９がヒンジ軸１９を支点として開かれ、あるいは取り外される。
また、第１の封印手段１３０及び第２の封印手段１４０において封印ネジ（図示しない）によって封印状態にある各封印部（封印締付部１３４、１４４と封印ボス部１３２、１４２）１３１、１４１は、その切断用連結片において取り除かれる。そして、ベース体３１に対し第１の蓋体６０及び第２の蓋体１００が取り外された状態で、各種の制御基板１５０、１６０、１７０、１８０、１９０、２００の保守・点検が容易に行われる。
【００４３】
前記したように、この実施の形態において、また、基板ボックス３０のベース体３１対し、第１の蓋体６０を装着する場合、ベース体３１の装着孔５８に対し各閉止片６７、７４を差し込んだ後、第１の蓋体６０を一方向（図に向かって右側）にスライドさせることによって、第１の蓋体６０の各閉止片６７が各装着孔５８の開口縁部に係合し、これによって、ベース体３１対し第１の蓋体６０を容易に装着することができる。
また、ベース体３１に対し第２の蓋体１００を装着する場合においてもほぼ同様に操作することによってベース体３１対し第２の蓋体１００を容易に装着することができる。
【００４４】
また、第１の蓋体６０（及び第２の蓋体１００）は四角箱形状に形成され、その四周部のうち、上下両側部と一側部の計３辺の長手方向にそれぞれ所定間隔を保って複数の閉止片６７（１０７）が配設されている。さらに、第１の蓋体６０（及び第２の蓋体１００）の残る他辺において第１の封印手段１３０（第２の封印手段１４０）が配設される。
このため、第１の蓋体６０（及び第２の蓋体１００）の四周部に対し数多くの第１の封印手段１３０（第２の封印手段１４０）を配設する必要性を解消することができるばかりでなく、ベース体３１に対し、第１の蓋体６０（及び第２の蓋体１００）を浮き上がることなく確実かつ強固に閉止保持することができる。このため、ベース体３１と第１の蓋体６０（及び第２の蓋体１００）との間に金属板、針金等の異物が差し込まれることを確実に阻止することができ、異物の差し込みによって第１の蓋体６０（及び第２の蓋体１００）が強制的に開かれる不具合を確実に防止することができ、不正行為を防止することができる。
【００４５】
また、この実施の形態において、ベース体３１の第１基板配設領域５０（及び第２基板配設領域５５）のガイドレール３４、３７（及びガイドレール３９、４２）と、第１の蓋体６０（及び第２の蓋体１００）のスライド部６６、７３（ス及びライド部１０６、１１３）とが相互の溝部においてそれぞれ互い違いに嵌込まれる構造上、ベース体３１と第１の蓋体６０（及び第２の蓋体１００）との間に金属板、針金等の異物が差し込まれることをより一層確実に防止することができ、不正行為の防止に効果が大きい。
【００４６】
また、裏セット板１０のボックス装着部１６に対し、制御ボックス装置２９を装着する場合、ボックス装着部１６の上下一対のヒンジ板１８の上方からベース体３１の上下一対のヒンジ軸１９をそれぞれ差し込んで組み付けた後、ヒンジ軸１９を支点として制御ボックス装置２９を閉じることによって、第１の蓋体６０の被拘束用凹部８１とベース体３１の被拘束用孔４９とがボックス装着部１６の拘束用突部２０に嵌込まれて位置決めされ、第１の蓋体６０が移動不能にかつ閉じ状態に拘束されるとともに、第２の蓋体１００の被拘束用凹部１２１とベース体３１の被拘束用孔４９とがボックス装着部１６の拘束用突部２５に嵌込まれて位置決めされ、第２の蓋体１００が移動不能にかつ閉じ状態に拘束される。そして、この状態において、ベース体３１に対し第１の蓋体６０と第２の蓋体１００とが取り外し不能にロック（拘束）される。
このため、第１の封印手段１３０あるいは第２の封印手段１４０において封印ネジが不測に取り外されたり、あるいは各封印部が不測に切断されたとしても、第１の蓋体６０あるいは第２の蓋体１００が開放されて不正行為がなされる不具合を防止することができる。
【００４７】
このようにして、ボックス装着部１６の拘束用突部２０、２５に対しベース体３１の被拘束用孔４９と第１、第２の両蓋体６０の被拘束用凹部８１、１２１とを嵌込むという、きわめて簡単な操作によってボックス装着部１６に対し制御ボックス装置２９を容易に位置決めし、かつ移動不能に閉じ位置に拘束することができる。
さらに、前記とは逆の手順で操作することによって、ボックス装着部１６に対し制御ボックス装置２９を容易に取り外すことができる。
このため、従来を異なり、複数の締め付けねじを制御ボックス装置２９のベース体３１を通してボックス装着部１６に締め付けて取り付けたり、あるいは複数の締め付けねじを外して取り外す、という煩わしさも解消することができる。
【００４８】
また、この実施の形態において、施錠装置９０のシリンダ錠９１の鍵穴に鍵を差し込み、その鍵操作によってボックス装着部１６に対し制御ボックス装置２９を、そのベース体３１において施錠することができる。このため、制御ボックス装置２９がヒンジ軸１９を支点として不測に開かれることを防止することができ、ベース体３１に対し第１の蓋体６０や第２の蓋体１００が取り外されて各種の制御基板に対する不正行為がなされる不具合を防止することができる。
また、施錠装置９０のシリンダ錠９１は、パチンコ機１の前枠３及びガラス扉４を施錠・解錠するためのシリンダ錠に対応する鍵を共用して使用できるように設定されている。このため、施錠装置９０の専用の鍵を準備し、その鍵を保管・管理する煩わしさを解消することができる。
【００４９】
また、この実施の形態において、基板ボックス３０は、裏セット板１０の裏面のほぼ全域（球タンク１３及びタンクレール１４が配設されている部分は除く）にわたる大きさに形成され、その基板ボックス３０には、各種の制御基板１５０、１６０、１７０、１８０、１９０、２００及び中継基板１５５、２２０が集中して収納される。このため、各種の制御基板に対応してそれぞれ個別に形成された基板ボックスに対し制御基板をそれぞれ内設して、各種の制御ボックス装置を構成する必要性を解消することができる。この結果、各種の制御ボックス装置をそれぞれ個別に制作する制作コスト、これら各種の制御ボックス装置をパチンコ機の裏面側に点在させて装着する組付コスト等を削減することができる。
【００５０】
また、この実施の形態において、ベース体３１には、第１基板配設領域５０と第２基板配設領域５５とがそれぞれ区画形成され、第１基板配設領域５０には、主制御基板１５０と中継基板１５５が配設され、かつ第１の蓋体６０によって覆われている。第２基板配設領域５５には、電源基板１６０、賞球制御基板１７０、発射制御基板１８０、音声制御基板１９０、ランプ制御基板２００、及び中継基板２２０が配設され、かつ第２の蓋体１００によって覆われている。
このため、蓋体が過大に大型化し、強度が著しく低下する不具合を防止することができる。
【００５１】
なお、この発明は前記実施の形態に限定するものではない。例えば、前記実施の形態ではパチンコ機１の裏セット板１０の裏面に設けられたボックス装着部１６に対し制御ボックス装置２９が装着される場合を例示したが、スロットマシン等の遊技機の所定位置に設定されるボックス装着部に対し制御ボックス装置が装着される場合においても採用することができる。
また、前記実施の形態では制御ボックス装置２９のベース体３１に第１基板配設領域５０と第２基板配設領域５５とを配設し、各基板配設領域５０、５５に対し第１の蓋体６０と第２の蓋体１００とをそれぞれ配設したが、ベース体３１に３つ又はそれ以上の基板配設領域を配設し、各基板配設領域ごとに蓋体を装着してもよい。 さらに、ベース体３１に対し１つの基板配設領域のみ設け、その１つの基板配設領域に対し数多くの制御基板を配設し、１つの蓋体によって覆うように構成してもよい。
【００５２】
また、前記実施の形態ではボックス装着部１６から突設された拘束手段としての拘束用突部２０、２５が段差軸状に形成される場合を例示したが、拘束用突部を弾性的な係止作用を有するクリップによって構成し、ボックス装着部１６に対し制御ボックス装置２９のベース体３１及び第１、第２の両蓋体６０、１００を閉じたときには、その拘束用突部、すなわちクリップの弾性力によってベース体３１及び第１、第２の両蓋体６０、１００を位置決め係止し、移動不能に閉じ位置に拘束することも可能である。この場合、施錠装置９０は必ずしも設けなくてもよい。
また、ボックス装着部１６の拘束手段を拘束用凹部（孔も含む）によって構成する一方、ベース体３１と、蓋体（第１、第２の両６０、１００）とのうち、少なくとも一方の部材に対し、前記拘束用凹部に差し込まれることによって係合する被拘束部を形成してもよい。
例えば、蓋体（第１、第２の両６０、１００）に対しベース体３１の孔等を貫通してボックス装着部１６の拘束用凹部に差し込まれる被拘束部を突設してもよい。
さらに、ベース体３１に対しボックス装着部１６の拘束用凹部に差し込まれる被拘束部を突設してもよい。但し、この場合、ベース体３１と蓋体（第１、第２の両６０、１００）との間には、差込動作によって相互に係合する係合突部と、係合凹部（孔も含む）とがそれぞれ形成される。
さらにまた、前記拘束用凹部に差し込まれる被拘束部を蓋体（第１、第２の両６０、１００）とは別体の専用の被拘束部材によって構成してもよい。
【００５３】
【発明の効果】
以上述べたように、この発明によれば、遊技機のボックス装着部に設けた拘束手段によって、基板ボックスのベース体を間に挟んで蓋体を移動不能に閉じ位置に拘束することができ、蓋体が不測に開かれる不具合を防止することができ、不正行為の防止に効果が大きい。
【図面の簡単な説明】
【図１】この発明の実施の形態に係る遊技機としてのパチンコ機の制御ボックス装置を示す制御ボックス装置を示す背面図である。
【図２】同じく制御ボックス装置を示す図１のＩＩ−ＩＩ線に基づく横断面図である。
【図３】同じく制御ボックス装置を示す図１のＩＩＩ−ＩＩＩ線に基づく横断面図である。
【図４】同じく制御ボックス装置を示す図１のＩＶ−ＩＶ線に基づく縦断面図である。
【図５】同じく制御ボックス装置を示す図１のＶ−Ｖ線に基づく縦断面図である。
【図６】同じく制御ボックス装置を示す図１のＶＩ−ＶＩ線に基づく縦断面図である。
【図７】同じく制御ボックス装置を示す図１のＶＩＩ−ＶＩＩ線に基づく横断面図である。
【図８】同じく制御ボックス装置の各種の制御基板の配列状態を示す説明図である。
【図９】同じく遊技機としてのパチンコ機全体を示す背面図である。
【図１０】同じくパチンコ機全体を示す図９のＸ−Ｘ線に基づく縦断面図である。
【符号の説明】
１  パチンコ機（遊技機）
６  遊技盤
１０  裏セット板
１６  ボックス装着部
１７  ボックスヒンジ機構
２０、２５  拘束用突部（拘束手段）
２９  制御ボックス装置
３０  基板ボックス
３１  ベース体
５０  第１基板配設領域
５５  第２基板配設領域
６０、１００  蓋体
９０  施錠装置
１３０、１４０  封印手段
１５０  主制御基板
１５５、２２０  中継基板
１６０  電源基板
１７０  賞球制御基板
１８０  発射制御基板
１９０  音声制御基板
２００  ランプ制御基板
【図１】
0004305705.tif 000002
【図２】
0004305705.tif 000003
【図３】
0004305705.tif 000004
【図４】
0004305705.tif 000005
【図５】
0004305705.tif 000006
【図６】
0004305705.tif 000007
【図７】
0004305705.tif 000008
【図８】
0004305705.tif 000009
【図９】
0004305705.tif 000010
【図１０】
0004305705.tif 000011